【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
利用者による楽曲の演奏を表す観測演奏データを学習済モデルに入力することで、相異なる複数の演奏傾向の各々について、前記演奏が当該演奏傾向に該当する確度を示す指標値を特定し、
前記複数の演奏傾向に対応する情報の時系列をそれぞれ表す複数の基礎データから、前記各演奏傾向について特定された指標値に応じて、前記楽曲に関する情報の時系列を表す時系列データを生成する
コンピュータにより実現される情報処理方法。
【請求項２】
時間軸上の複数の解析期間の各々について、
前記指標値の特定においては、当該解析期間内の前記観測演奏データから前記各演奏傾向の指標値を特定し、
前記時系列データの生成においては、前記複数の基礎データにおける当該解析期間内の部分から、当該解析期間について特定された前記各演奏傾向の指標値に応じて、前記時系列データのうち当該解析期間内の部分を生成する
請求項１の情報処理方法。
【請求項３】
時間軸上の複数の解析期間の各々について、利用者による楽曲の演奏を表す当該解析期間内の観測演奏データを学習済モデルに入力することで、相異なる複数の演奏傾向の各々について、前記演奏が当該演奏傾向に該当する確度を示す指標値を特定し、
前記複数の解析期間の各々について、当該解析期間について特定された前記各演奏傾向の指標値に応じて、前記楽曲に関する情報の時系列を表す時系列データのうち当該解析期間内の部分を生成する
コンピュータにより実現される情報処理方法。
【請求項４】
前記時系列データは、音符の時系列を表すデータである
請求項１または請求項２の情報処理方法。
【請求項５】
前記時系列データの生成においては、前記複数の基礎データの間で相互に対応する音符を前記各演奏傾向の指標値に応じて合成することで、前記時系列データを生成する
請求項４の情報処理方法。
【請求項６】
前記各演奏傾向の基礎データが表す音符の時系列は、前記複数の基礎データの間で相互に対応する共通音符と、前記基礎データ毎に相違する個別音符とを含み、
前記時系列データの生成においては、前記複数の基礎データの間で相互に対応する前記共通音符を前記各演奏傾向の指標値に応じて合成し、かつ、前記各演奏傾向に対応する基礎データが表す個別音符を当該演奏傾向の指標値に応じて選択することで、前記時系列データを生成する
請求項５の情報処理方法。
【請求項７】
前記指標値の特定においては、前記楽曲を構成する音符の時系列を指定する楽曲データから生成されて当該楽曲の演奏を表す参照演奏データと、前記観測演奏データとを前記学習済モデルに付与することで、利用者による演奏が特定の演奏傾向に該当する確度を示す指標値を特定する
請求項１から請求項６の何れかの情報処理方法。
【請求項８】
前記観測演奏データは、相異なる音量に対応する複数の要素を含む音量データを複数の音高の各々について含み、
前記各音高の音量データにおける前記複数の要素のうち、利用者が当該音高を演奏した音量に対応する要素は第１値に設定され、残余の要素は、前記第１値とは相違する第２値に設定される
請求項１から請求項７の何れかの情報処理方法。
【請求項９】
利用者による楽曲の演奏を表す観測演奏データを学習済モデルに付与することで、相異なる複数の演奏傾向の各々について、前記演奏が当該演奏傾向に該当する確度を示す指標値を特定する指標特定部と、
前記複数の演奏傾向に対応する情報の時系列をそれぞれ表す複数の基礎データから、前記各演奏傾向について特定された指標値に応じて、前記楽曲に関する情報の時系列を表す時系列データを生成する情報処理部と
を具備する情報処理装置。
【請求項１０】
時間軸上の複数の解析期間の各々について、
前記指標特定部は、当該解析期間内の前記観測演奏データから前記各演奏傾向の指標値を特定し、
前記情報処理部は、前記複数の基礎データにおける当該解析期間内の部分から、当該解析期間について特定された前記各演奏傾向の指標値に応じて、前記時系列データのうち当該解析期間内の部分を生成する
請求項９の情報処理装置。
【請求項１１】
時間軸上の複数の解析期間の各々について、利用者による楽曲の演奏を表す当該解析期間内の観測演奏データを学習済モデルに入力することで、相異なる複数の演奏傾向の各々について、前記演奏が当該演奏傾向に該当する確度を示す指標値を特定する指標特定部と、
前記複数の解析期間の各々について、当該解析期間について特定された前記各演奏傾向の指標値に応じて、前記楽曲に関する情報の時系列を表す時系列データのうち当該解析期間内の部分を生成する情報処理部と
を具備する情報処理装置。
【請求項１２】
前記時系列データは、音符の時系列を表すデータである
請求項９または請求項１０の情報処理装置。
【請求項１３】
前記情報処理部は、前記複数の基礎データの間で相互に対応する音符を前記各演奏傾向の指標値に応じて合成することで、前記時系列データを生成する
請求項１２の情報処理装置。
【請求項１４】
前記各演奏傾向の基礎データが表す音符の時系列は、前記複数の基礎データの間で相互に対応する共通音符と、前記基礎データ毎に相違する個別音符とを含み、
前記情報処理部は、前記複数の基礎データの間で相互に対応する前記共通音符を前記各演奏傾向の指標値に応じて合成し、かつ、前記各演奏傾向に対応する基礎データが表す個別音符を当該演奏傾向の指標値に応じて選択することで、前記時系列データを生成する
請求項１３の情報処理装置。
【請求項１５】
前記指標特定部は、前記楽曲を構成する音符の時系列を指定する楽曲データから生成されて当該楽曲の演奏を表す参照演奏データと、前記観測演奏データとを前記学習済モデルに付与することで、利用者による演奏が特定の演奏傾向に該当する確度を示す指標値を特定する
請求項９から請求項１４の何れかの情報処理装置。
【請求項１６】
前記観測演奏データは、相異なる音量に対応する複数の要素を含む音量データを複数の音高の各々について含み、
前記各音高の音量データにおける前記複数の要素のうち、利用者が当該音高を演奏した音量に対応する要素は第１値に設定され、残余の要素は、前記第１値とは相違する第２値に設定される
請求項９から請求項１５の何れかの情報処理装置。
【請求項１７】
利用者による楽曲の演奏を表す観測演奏データを学習済モデルに付与することで、相異なる複数の演奏傾向の各々について、前記演奏が当該演奏傾向に該当する確度を示す指標値を特定する指標特定部、および、
前記複数の演奏傾向に対応する情報の時系列をそれぞれ表す複数の基礎データから、前記各演奏傾向について特定された指標値に応じて、前記楽曲に関する情報の時系列を表す時系列データを生成する情報処理部
としてコンピュータを機能させるプログラム。
【請求項１８】
時間軸上の複数の解析期間の各々について、利用者による楽曲の演奏を表す当該解析期間内の観測演奏データを学習済モデルに入力することで、相異なる複数の演奏傾向の各々について、前記演奏が当該演奏傾向に該当する確度を示す指標値を特定する指標特定部、および、
前記複数の解析期間の各々について、当該解析期間について特定された前記各演奏傾向の指標値に応じて、前記楽曲に関する情報の時系列を表す時系列データのうち当該解析期間内の部分を生成する情報処理部
としてコンピュータを機能させるプログラム。
【手続補正２】
【補正対象書類名】明細書
【補正対象項目名】発明の名称
【補正方法】変更
【補正の内容】
【発明の名称】情報処理方法、情報処理装置およびプログラム